【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
レンチキュラー集束素子のアレイと、画像ストリップのセットの対応するアレイであって、該画像ストリップのセットが実質的にレンチキュラー集束素子の前記アレイと同じ周期又は該周期の整数倍周期を有している、アレイと、を備えるレンチキュラー・デバイスを有するセキュリティ・デバイスであって、
前記画像ストリップが形成され、複数の視角の各々において、各々のセットからそれぞれ１つの画像ストリップが、それぞれのレンチキュラー集束素子に入射する入射光に応じて見られるように、前記レンチキュラー集束素子が前記画像ストリップと相対して位置し、前記画像ストリップが、前記デバイスは、前記デバイスが連続した視角で見られると、画像の周期的反復シーケンスであって、該画像シーケンスは、第１の形式と第２の形式との間での画像の形式における変化、次に、該第１の形式へ該画像シーケンスを戻す反転を含む、画像の周期的反復シーケンスを提示し、これにより、前記画像シーケンスは、画像形式における隣接するバリエーションを提示するように構成される、セキュリティ・デバイス。
【請求項２】
１つのシーケンスの終わりにおいて前記画像の第１の形式を定めている前記画像ストリップは、また、次のシーケンスの初めにおいて画像の第１の形式も定める、請求項１に記載のセキュリティ・デバイス。
【請求項３】
各々のシーケンスの始めと終わりの前記画像ストリップは、他の画像ストリップの半分の幅を有する、請求項１に記載のセキュリティ・デバイス。
【請求項４】
前記画像の周期的反復シーケンスは、後で縮小する画像の拡大を含む、請求項１ないし３のいずれか１項に記載のセキュリティ・デバイス。
【請求項５】
前記画像の周期的反復シーケンスは、画像の形状において、第１の形状から第２の形状へ、次に、第１の形状へ戻る変化を含む、請求項１ないし３のいずれか１項に記載のセキュリティ・デバイス。
【請求項６】
前記画像の周期的反復シーケンスは、後で前記画像が縮小するその画像の形状における変化とともに画像のサイズの拡大と、当初の画像のサイズと形状に戻る前記画像の形状における変化との組合せを含む、請求項１ないし３のいずれか１項に記載のセキュリティ・デバイス。
【請求項７】
前記画像ストリップは、第１の形式と第２の形式との間、および、第２の形式と第１の形式との間から、少なくとも１つの中間画像を定める、請求項１ないし６のいずれか１項に記載のセキュリティ・デバイス。
【請求項８】
前記レンチキュラー集束素子の前記アレイは、画像ストリップのセットのアレイに登録されない、請求項１ないし７のいずれか１項に記載のセキュリティ・デバイス。
【請求項９】
前記画像ストリップは、インクによって定められる、請求項１ないし８のいずれか１項に記載のセキュリティ・デバイス。
【請求項１０】
画像ストリップは、レリーフ構造によって定められる、請求項１から８のいずれか１項に記載のセキュリティ・デバイス。
【請求項１１】
前記レリーフ構造は、基板にエンボス加工またはキャストされる、請求項１０に記載のセキュリティ・デバイス。
【請求項１２】
前記レリーフ構造は、回析格子構造を備える、請求項１０又は請求項１１に記載のセキュリティ・デバイス。
【請求項１３】
各々の画像ストリップの幅は、５０ミクロン未満であり、好適には、２０ミクロン未満であり、最も好適には、１ないし１０ミクロンの範囲にある、請求項１ないし１２のいずれか１項に記載のセキュリティ・デバイス。
【請求項１４】
画像ストリップの複数のセットが、各々の集束素子に応じて、提供される、請求項１ないし１３のいずれか１項に記載のセキュリティ・デバイス。
【請求項１５】
前記レンチキュラー集束素子は、円柱レンズまたはマイクロミラーを備える、請求項１ないし１４のいずれか１項に記載のセキュリティ・デバイス。
【請求項１６】
前記レンチキュラー集束素子のアレイと前記画像ストリップのセットは、５ないし２００ミクロン、好適には、１０ないし６０ミクロン、最も好適には、２０ないし４０ミクロンの範囲の周期を有する、請求項１ないし１４のいずれか１項に記載のセキュリティ・デバイス。
【請求項１７】
前記レンチキュラー集束素子のｆ値は、０．２５-１６、好適には、０．５-２の範囲にある、請求項１ないし１６のいずれか１項に記載のセキュリティ・デバイス。
【請求項１８】
前記レンチキュラー集束素子は、熱のエンボス加工またはキャスト硬化複製のプロセスによって形成された、請求項１ないし１７のいずれか１項に記載のセキュリティ・デバイス。
【請求項１９】
前記画像ストリップは、基板上に提供され、該画像ストリップは、ホログラフ構造も備え、前記レンチキュラー・デバイスと離れている、請求項１ないし１８のいずれか１項に記載のセキュリティ・デバイス。
【請求項２０】
前記画像ストリップは、基板上に提供され、該画像ストリップは、モアレ拡大に適切なマイクロ画像も提供され、前記セキュリティ・デバイスは、前記マイクロ画像の上に位置するモアレ拡大レンズ・アレイを更に備える、請求項１ないし１４のいずれか１項に記載のセキュリティ・デバイス。
【請求項２１】
モアレ拡大レンズ・アレイは、前記レンチキュラー集束素子の中、又は、同じ表面において提供される、請求項２０に記載のセキュリティ・デバイス。
【請求項２２】
前記デバイスは、例えば、磁性材料、好適には、磁鉄鉱など機械可読材料を組み込んでいる層を備える、請求項１ないし２１のいずれか１項に記載のセキュリティ・デバイス。
【請求項２３】
請求項１ないし請求項２２のいずれか１項に記載のセキュリティ・デバイスを備える物品。
【請求項２４】
前記物品は、紙幣、小切手、パスポート、身分証明書、鑑定書、収入印紙、及び、価値や身分を確保するための他の文書から選択されたものである、請求項２３に記載の物品。
【請求項２５】
前記物品は、前記レンチキュラー集束素子と前記画像ストリップがそれぞれ提供される対向する側に透明な部分を有する基板を備える、請求項２４に記載の物品。
【請求項２６】
レンチキュラー集束素子のアレイを備えるレンチキュラー・デバイスと、画像ストリップのセットの対応するアレイであって、該画像ストリップのセットが実質的にレンチキュラー集束素子の前記アレイと同じ周期又は該周期の整数倍周期を有している、アレイと、を提供するステップを含む、セキュリティ・デバイスを製造する方法であって、
前記画像ストリップが形成され、複数の視角の各々において、各々のセットからそれぞれ１つの画像ストリップが、それぞれのレンチキュラー集束素子に入射する入射光に応じて見られるように、前記レンチキュラー集束素子が前記画像ストリップと相対して位置し、前記画像ストリップが、前記デバイスは、前記デバイスが連続した視角で見られると、画像の周期的反復シーケンスであって、該画像シーケンスは、第１の形式と第２の形式との間での画像の形式における変化、次に、該第１の形式へ該画像シーケンスを戻す反転を含む、画像の周期的反復シーケンスを提示し、これにより、前記画像シーケンスは、画像形式における隣接するバリエーションを提示するように、構成される、方法。
【請求項２７】
画像ストリップは、セキュリティ・デバイスの基板の上へ印刷される、請求項２６に記載の方法。
【請求項２８】
前記画像ストリップは、前記セキュリティ・デバイスの基板にエンボス加工あるいはキャスト硬化したレリーフ構造によって定められる、請求項２６に記載の方法。
【請求項２９】
請求項１ないし２２のいずれか１項に記載のセキュリティ・デバイスを製造するための請求項２６ないし２８のいずれか１項に記載の方法。